(57)【要約】      （修正有）【課題】医療サプライ品を医療処置に使用するために患者に運ぶ一方で、使用済み鋭利品といった多量の危険な廃棄物をケアの一次地点で捨てることができる鋭利品の運拠・処分システムの提供。【解決手段】医療用運搬キャリアはキャリアトレイと医療廃棄物処分容器とを備える。キャリアトレイは、医療サプライ品を収容するのに適合させた供給エリアを備える。医療廃棄物処分容器はキャリアトレイと相互係合および取り外しが可能に嵌め合わされていて、前記供給エリアから離間した場所に位置している。医療サプライ品を収容するための供給エリアを有するキャリアトレイと係合させるようにした医療廃棄物処分容器にも関する。この医療廃棄物処分容器は、キャリアトレイと相互係合可能で取り外し可能に嵌まり合うことができ、かつキャリアトレイの供給エリアから離間した場所で医療廃棄物を収容するようになっている。【選択図】なし【特許請求の範囲】
【請求項１】
下記を備える医療用運搬キャリア：
医療サプライ品を収容するのに適合させた供給エリアを備えたキャリアトレイ；および
前記供給エリアから離間した位置で医療廃棄物を収容するのに適合させた、前記キャリアトレイと嵌まり合う医療廃棄物処分容器。
【請求項２】
前記キャリアトレイが医療廃棄物を捨てるための開口部を有し、この開口部が前記医療廃棄物処分容器内に医療廃棄物を受け入れるための開口部との連結通路を形成している、請求項１に記載の医療用運搬キャリア。
【請求項３】
前記医療廃棄物容器と前記キャリアトレイとが取り外し可能に嵌まり合う別個の部材であって、前記医療廃棄物容器が前記キャリアトレイから離脱可能である、請求項１に記載の医療用運搬キャリア。
【請求項４】
前記医療廃棄物容器と前記キャリアトレイとが、それらの間のロック用係合のための対応する構造を備える、請求項３に記載の医療用運搬キャリア。
【請求項５】
前記医療廃棄物容器と前記キャリアトレイの一方がラッチを備え、他方がそれらの間のラッチング係合のためのリブを備える、請求項４に記載の医療用運搬キャリア。
【請求項６】
前記医療廃棄物処分容器が前記キャリアトレイの下に配置されている、請求項１に記載の医療用運搬キャリア。
【請求項７】
前記医療廃棄物処分容器が前記キャリアトレイを貫通する一体ハンドルを有する、請求項１に記載の医療用運搬キャリア。
【請求項８】
前記医療廃棄物処分容器が半透明の表面を有する、請求項１に記載の医療用運搬キャリア。
【請求項９】
医療サプライ品を収容するのに適合させた供給エリアを有するキャリアトレイと係合させるのに適合させた医療廃棄物処分容器であって、このキャリアトレイと相互係合可能で取り外し可能に嵌まり合うことができ、かつ前記キャリアトレイの前記供給エリアから離間した位置で医療廃棄物を収容するのに適合させた医療廃棄物処分容器。
【請求項１０】
前記医療廃棄物処分容器が医療廃棄物を受け入れるための開口部を有し、この開口部が前記キャリアトレイに設けた開口部との連結通路を形成している、請求項９に記載の医療廃棄物処分容器。
【請求項１１】
前記医療廃棄物処分容器が前記キャリアトレイを貫通する一体ハンドルを有する、請求項９に記載の医療廃棄物処分容器。
【請求項１２】
前記医療廃棄物処分容器が半透明の表面を有する、請求項９に記載の医療廃棄物処分容器。
【請求項１３】
下記を備える医療用運搬キャリア：
医療サプライ品を収容するのに適合させた供給エリアを備えたキャリアトレイ、このキャリアトレイは医療廃棄物を捨てるためにキャリアトレイの底面を貫通する開口部を備えており；および
前記キャリアトレイの底面と相互係合可能な医療廃棄物処分容器、この医療廃棄物処分容器は医療廃棄物を受け入れるための開口部を有し、この医療廃棄物処分容器の開口部が前記キャリアトレイの開口部と連結されている。
【請求項１４】
前記キャリアトレイがキャリアハンドルを受け入れるための開口部をさらに備え、そして前記医療廃棄物処分容器が、キャリアハンドルを受け入れるのに適合させた前記キャリアトレイの前記開口部を通って受け入れられるキャリアハンドルをさらに備える、請求項13に記載の医療用運搬キャリア。
【請求項１５】
医療廃棄物を受け入れるための前記開口部が前記キャリアハンドルを受け入れるための前記開口部に隣接している、請求項14に記載の医療用運搬キャリア。
【請求項１６】
前記キャリアハンドルが折り畳み可能である請求項14に記載の医療用運搬キャリア。
【請求項１７】
前記医療廃棄物処分容器が伸縮可能な保護カバーを有する、請求項13に記載の医療用運搬キャリア。
【発明の詳細な説明】
【技術分野】
【０００１】
本発明は容器アセンブリに関する。より詳しくは、本発明は、医療器具の携帯可能なキャリアトレイと一緒に使用するために医療廃棄物処分容器を備えた容器アセンブリに関する。
【背景技術】
【０００２】
典型的な採血処置は、針、ホルダー、採集用試験管、およびバンデージといった医療サプライ品を運搬可能な実用本位のキャリア (実用キャリア) の中に整頓して配置するためにフレボトミスト (採血看護士) を必要とする。この実用キャリアは、典型的にはハンドルを有し、上面が開いていて、医療サプライ品を整頓するのを助けるために複数の区画またはコンパートメントを有していることもある。この実用キャリアは医療サプライ品の便利な運搬を可能にする。
【０００３】
典型的には、フレボトミストは、実用キャリアのような携帯用トレイを患者のベッドサイドに運び、そこでフレボトミストは採血処置のような必要な処置を行う。求められる必要な本数の管にサンプルを採集し、患者の腕から針を抜いたら、器具の再使用を防止し、かつ潜在的なバイオハザードから防護するために、フレボトミストは使用した採血器具を直近の場所で別の容器の中に直ちに捨てる。
【０００４】
そのような使用ずみの器具 (鋭利品またはシャープス<sharps>と一般に称される) は、実用トレイの上に嵌まる小型の医療廃棄物容器の中に捨てられることが多い。しかし、最近は使い捨て針に組合わせて使い捨て針ホルダーを組み込んだ採血アセンブリを使用する傾向が当業界にあり、規定および安全処置の最近の変化により、針ホルダーも同時に捨てることが要求されている。そのようなアセンブリの使用に付随しては、医療廃棄物容器の中に捨てられる医療廃棄物の量が著しく増えている。そのため、実用トレイと一緒に運ばれる携帯用の廃棄物容器は、使い捨てアセンブリを入れるには小さすぎることが多く、または多量の使い捨て廃棄物を入れることができないため、使い捨て廃棄物容器を交換する結果となることがよくある。
【０００５】
別の慣用の医療廃棄物容器は、患者の部屋にあるような壁に取付けられた種類のものである。しかし、そのような壁に装着した容器を使用して採血器具をそのような処置中に捨てることは、廃棄物容器が医療器具の使用場所から離れたところにあり、使用ずみの器具を離れた場所にある廃棄物容器のところまで運ぶ必要があるので、バイオハザードへの露出の危険性が高まる。別の慣用の医療廃棄物容器は、比較的大きく、主に実験室用であって、床またはテーブルの上に置かれる。そのような大きな実験室用の廃棄物容器は、廃棄物容器の場所が使用場所から離れているため、同様の露出の危険性がある。
【０００６】
従って、医療サプライ品を医療処置に使用するために患者に運ぶ一方で、使用ずみ鋭利品といった多量の危険な廃棄物をケアの一次地点で捨てることができ、便利に使用でき、安全に運搬できる器具に対する要望がある。
【発明の開示】
【０００７】
本発明は医療用運搬キャリアならびに医療廃棄物処分容器に関する。本発明の医療用運搬キャリアは、キャリアトレイと医療廃棄物処分容器とを備える。キャリアトレイは、医療サプライ品を収容するのに適合させた供給エリアを備える。医療廃棄物処分容器は、キャリアトレイに相互係合と取り外しが可能に嵌装されていて、前記供給エリアから離間した場所に位置している。そのため、医療廃棄物処分容器は、使用地点またはケア地点で利用可能であって、器具の使用地点に連係しているが、器具の供給エリアからは離れた場所で医療廃棄物を収容することができ、それにより未使用のサプライ品への露出は避けられる。
【０００８】
望ましくは、キャリアトレイは医療廃棄物処分容器と係合状態にあり、医療廃棄物をキャリアトレイを通って捨てるための開口部を備え、医療廃棄物はこの開口部から連結通路を経て、医療廃棄物処分容器に設けた開口部の中に捨てられる。医療廃棄物処分容器はキャリアトレイから取り外し可能でよく、キャリアトレイの下に配置してもよい。この医療廃棄物処分容器はさらに、キャリアトレイに設けた開口部を貫通する一体のハンドルを備えていてもよい。医療廃棄物処分容器の開口部は、キャリアハンドルを通すためにキャリアトレイに設けた開口部に隣接させてもよい。
【０００９】
別の態様では、本発明は、医療サプライ品を収容するための供給エリアを有するキャリアトレイと係合させるようにした医療廃棄物処分容器に関する。この医療廃棄物処分容器は、キャリアトレイと相互係合可能で取り外し可能に嵌着することができ、かつキャリアトレイの供給エリアから離間した場所で医療廃棄物を収容するようにできる。この医療廃棄物処分容器は、医療廃棄物を受け入れるための開口部を有していてもよく、この開口部はキャリアトレイに設けた開口部との連結通路を形成している。この医療廃棄物処分容器は、キャリアトレイに設けた開口部を通る一体のハンドルをさらに備えていてもよく、このハンドルは保管と処分のために折り畳み可能であってもよい。
【発明を実施するための最良の形態】
【００１０】
添付図面を参照すると、そのいくつかの図を通して、類似の部品を示すのに類似の参照番号を使用している。図１は、本発明に係る医療用運搬キャリア10とその関連する特色を示している。本発明を医療用運搬キャリアに関して一般的に説明するが、本発明はそのような医療用運搬キャリアならびにそのような医療用運搬キャリアに使用するための医療廃棄物処分容器を包含する。
【００１１】
図１および２に示すように、医療用運搬キャリア10は、キャリアトレイ12と医療廃棄物処分容器14とを備える。キャリアトレイ12は医療サプライ品を収容するのに適合させた供給エリア16を備える。医療廃棄物処分容器14はキャリアトレイ12と嵌め合わされており、望ましくはキャリアトレイ12とは取り外し可能に嵌め合わされた別部材である。そのため、医療廃棄物処分容器は使用地点またはケア地点で技術者等が使用するのに利用可能であり、器具の使用地点に連係しているが、器具の供給エリアからは離れた場所で医療廃棄物を収容することができ、それによりそれらが未使用のサプライ品に露出されるのが避けられる。本発明の目的にとって、「離れた」とは、あるアリアに連係している、近い、または隣りであるが、直接そのエリアの内部には位置していない場所を意味する。例えば、医療廃棄物処分容器は供給エリアの近くに位置するが、供給エリアの中に直接は位置させないので、トレイの供給エリア内の医療サプライ品は医療廃棄物処分容器内の医療廃棄物には直接曝されない。
【００１２】
キャリアトレイ12は任意の材料から作製することができるが、好ましくは成形プラスチックから作製される。この材料は本質的に耐久性があり、従って長期使用が可能である。キャリアトレイ12は、キャリアトレイ12の内部に配置されたサプライ品への接近が好都合となるように上面が開いている。また、キャリアトレイ12は、医療サプライ品の整頓を助けるため供給エリア16の内部に多様な形状およびサイズの複数のコンパートメントまたは区画を設けることができる。このような医療サプライ品としては、例えば、針、針ホルダー、血液採集管、綿棒 (ぬぐい棒) 、バンデージ、ランセットなどが挙げられる。キャリアトレイ12はまた、医療廃棄物処分容器14からの便利な分離やキャリアトレイ12の持ち上げを容易にするためのグリップといった各種の表面構造物も有することができる。サプライ品の便利な整頓や運搬を助けるための各種の形態もしくは構造を設けた別の態様も可能である。
【００１３】
医療用運搬キャリア10はさらに医療廃棄物処分容器14を備え、これは鋭利品のような使用ずみ医療器具を収容して捨てるために形作られ、設計されている。医療廃棄物処分容器14は、そのような使用ずみ鋭利品を安全に収容することができる材料から構成され、耐久性のためにブロー成形またはフロー成形によるといった、成形プラスチックから作製したものでよい。医療廃棄物処分容器14はキャリアトレイ12と相互係合可能に嵌め合わされて、それをワンピース (１部品) ユニットとして運搬できるようにし、望ましくはキャリアトレイ12と取り外し可能に嵌め合わされている。例えば、図１に示すように、医療廃棄物処分容器14をキャリアトレイ12の底面と嵌め合わせて一体構造を形成していてもよい。
【００１４】
医療廃棄物処分容器14とキャリアトレイ12は、それらの間の嵌め合い係合のための、望ましくはそれらの間のロック用係合のための、対応する構造を備えていてもよい。望ましくは、そのようなロック用係合は本質的に一時的なものとし、キャリアトレイ12を損傷せずに取り外し可能または解放可能に固定して、反復使用を可能にする。図２に示すように、そのような対応する構造は、キャリアトレイ12の外面に設けたラッチ18と、医療廃棄物処分容器14の外面に設けた対応するリブ19とを含むものでよい。キャリアトレイ12と医療廃棄物処分容器14の反対側にも第２のラッチとリブを設けてもよいことが考えられる。ラッチ18はリブ19と係合してキャリアトレイ12と医療廃棄物処分容器14とを一緒に一体的にロックするが、ラッチ18をリブ19から解放すると、トレイ12を医療廃棄物処分容器14とのロック用係合状態から取り外し可能に解放することができる。リブとラッチは、キャリアトレイ12と医療廃棄物処分容器14とを取り外し可能に嵌め合わせる方法の単なる例示として説明しただけであることに留意されたい。それらの間の解放可能な嵌め合わせ係合のための他の手段も本発明により考えられる。
【００１５】
上述したように、医療廃棄物処分容器14はキャリアトレイ12の底面に嵌め合わせたのでよい。その場合、医療廃棄物処分容器14は、使用のための適当な医療サプライ品で一杯になった時のキャリアトレイ12の重量を支持することができる十分な構造的一体性を有するべきである。このような構造一体性は、医療廃棄物処分容器14に付与された特定の形状、デザイン、構成材料、または支持の特徴により得ることができる。医療廃棄物処分容器14とキャリアトレイ12は異なる「フットプリント (平面形状) 」を備えていてもよい、即ち、形状またはサイズが異なるものでよいこともさらに留意されたい。例えば、医療廃棄物処分容器14はキャリアトレイ12の全体サイズよりやや小さくてもよく、キャリアトレイ12の底面積の範囲内に嵌まり込んで、それを視野から隠すようなものでもよい。そのような態様では、キャリアトレイ12は、キャリアトレイ12の底面外周から突出した外周スカートのような、医療廃棄物処分容器14を入れるための領域を備えていてもよい。
【００１６】
医療用運搬キャリア10を運ぶためのハンドルもさらに設ける。ハンドルはキャリアトレイ12と医療廃棄物処分容器14のいずれに付随させてもよい。望ましくは、図３〜４に示すように、医療廃棄物処分容器14が、医療廃棄物処分容器14の中央部に一体ハンドル30またはキャリーハンドル (手提げハンドル) を有する。キャリアトレイ12は、医療廃棄物処分容器14のハンドル30を通して受け入れるための開口したスロット領域32を有する。その場合、キャリアトレイ12の開口したスロット領域32が医療廃棄物処分容器14のハンドル30と対応して整列するように、キャリアトレイ12を医療廃棄物処分容器14のすぐ上に置いてもよい。その後、ハンドルが30キャリアトレイ12の開口したスロット領域32の上にきて、これを通り抜けて突き出るようにする。キャリアトレイ12が医療廃棄物処分容器14の上の所定位置にしっかり載置されたら、キャリアトレイ12と医療廃棄物処分容器14とを一緒に固定して、医療用運搬キャリア10を形成することができる。医療廃棄物処分容器14のハンドル30により、医療用運搬キャリア10を便利かつ安全に握って運ぶことが可能となり、同時にキャリアトレイ12を医療廃棄物処分容器14にしっかり取付けることも確保される。図４に示すように、医療廃棄物処分容器14のハンドル30は、倒すまたは折り畳むことができ、こうして多くの医療廃棄物処分容器を積み重ねることが可能となって、便利で効率的な保管と輸送が可能となる。医療廃棄物処分容器14の上面は、折り畳んだ状態のハンドル30を収容するための凹部31を備えていてもよい。
【００１７】
上述したように、医療廃棄物処分容器14は、鋭利品のような医療廃棄物をその処分のために収容するように設計されている。キャリアトレイ12と医療廃棄物処分容器14とを嵌め合わせた時に密閉した廃棄物処分ユニットが提供される限り、医療廃棄物処分容器14はキャリアトレイ12の底面と嵌め合わせるための開いた上面形態を有していてもよい。そのような態様では、医療廃棄物処分容器14をその適正な処分のためにキャリアトレイ12から分離した後に、この容器14を閉じるために別の蓋を設けてもよい。
【００１８】
より望ましくは、医療廃棄物処分容器14は医療廃棄物を収容するための密閉ユニットとし、開口部20のような医療廃棄物を受け入れるための開口部を備えている。望ましくは、開口部20は、医療廃棄物を医療廃棄物処分容器14の中に捨てることができる１方向開口部を与え、これは該容器内部への蛇行経路によるか、または開口部20を覆う１方向ドアにより達成することができる。
【００１９】
開口部20は、キャリアトレイ12を医療廃棄物処分容器14に取り付けたまま医療廃棄物を開口部20から捨てることができる限り、医療廃棄物処分容器14のどこに配置してもよい。望ましくは、開口部20は医療廃棄物処分容器14の上面に配置する。その場合、キャリアトレイ12を通って開口部20にアクセスする必要がある。これは望ましくは、キャリアトレイ12にも開口部22を設けることにより達成される。その場合、キャリアトレイ12の開口部22と医療廃棄物処分容器14の開口部20との間に連結通路を確立するようにキャリアトレイ12と医療廃棄物処分容器14を相互係合可能に嵌め合わせて、こうして医療廃棄物を医療廃棄物処分容器14の中に捨てて受け入れる通路となる領域を確保する。望ましくはキャリアトレイ12の開口部22は医療廃棄物処分容器14の開口部20にまっすぐ整列させる。
【００２０】
図１に示すように、開口部22はキャリアトレイ12の上面部分とキャリアトレイ12の底面部分とを貫いて通るようにする。望ましくは、開口部22は、鋭利品が医療廃棄物処分容器14からこぼれ落ちるのを防止するよう１方向性の特徴を備えた制御された開口部である。例えば、開口部22を閉じるためにフタまたは保護カバー24を設けてもよい。保護カバー24は、フレボトミストに対して、キャリアトレイ12の開口部22からはみ出したり突き出ることがある医療廃棄物による露出や傷つきからのさらなる防護を与える。保護カバー24は、自在(swinging)フラップもしくはヒンジなどの任意の種類のものとすることができる。望ましくは、開口部22は、図１に示すように、キャリアトレイ12の一辺の長さに沿って配置する。或いは、キャリアトレイ12の開口部22は、医療廃棄物処分容器14の開口部20に直接連結する開いたスロットとすることもできる。
【００２１】
医療廃棄物処分容器14の開口部20も、特に医療廃棄物処分容器14をキャリアトレイ12から切り離した後に、医療廃棄物処分容器14内の中身を密閉するためにフタまたは保護カバー28を有していてもよい。医療廃棄物処分容器14の開口部20のカバー28は、医療廃棄物処分容器14内の中身を閉じ込めるための、ヒンジ、タブ等の任意の固定機構を利用することができる。望ましくは、医療廃棄物処分容器14の開口部20は、キャリアトレイ12と医療廃棄物処分容器14とを嵌め合わせた時に自動的に開くことができる。例えば、カバー28は開口部20の内部で内側に開くものでよく、キャリアトレイ12はその底面に、キャリアトレイ12を医療廃棄物処分容器14と嵌め合わせた時にカバー28と係合してカバー28を開口部20の内部で内側に自動的に押すことにより、カバー28を開いたままに保持するような構造物を備えていてもよい。そのような態様におけるキャリアトレイ12は、医療廃棄物処分容器14の中身への露出を防ぐための効果的なカバーとなるべきであることに留意されたい。
【００２２】
上述したように、キャリアトレイ12は望ましくは医療廃棄物処分容器14の上に据わり、ハンドル30はキャリアトレイ12の開口部32を通って突き出る。図10に示すような特に望ましい態様では、医療廃棄物処分容器14の内部の開口部20はハンドル30に隣接し、ハンドル30を開口部32に通してキャリアトレイ12を医療廃棄物処分容器14と嵌め合わせた時にキャリアトレイ12の開口部32と整列する。そのような態様では、開口部32はハンドル30を収納することができ、さらに医療廃棄物処分容器14の開口部20との連結通路を与え、これが医療廃棄物を捨てることができるキャリアトレイ12内の開口部として作用するので、別個の開口部22の必要性がなくなる。また、ハンドル30が医療廃棄物処分容器14の開口部20を密閉するための保護カバーとして作用させてもよいことも考えられる。より具体的には、キャリアトレイ12と医療廃棄物処分容器14とを分離した時に、ハンドル30を曲げて倒すと開口部20を覆うようにすることによって、医療廃棄物処分容器14の中身を密閉する保護カバーとして作用させてもよい。
【００２３】
医療廃棄物処分容器14は、騒音を最小限にするために、底面または壁面に、フォームまたは他の内張り材を有していてもよい。或いは、医療廃棄物処分容器14は、ベローズ (蛇腹) または入れ子式部分といった伸縮性の特徴を有していてもよく、その場合、ベローズはブロー成形してもよく、一方、入れ子式の構成要素は射出成形部品の集成体として成形してもよい。医療廃棄物処分容器14はまた、医療廃棄物処分容器14の中身を見て医療廃棄物処分容器14の交換が必要であることを確認することを可能にするように、半透明の壁面部分を備えるか、或いは全面的に半透明の材料から構成してもよい。また、医療廃棄物処分容器14は、医療廃棄物処分容器14の最大容量と、一杯になった医療廃棄物処分容器を空の医療廃棄物処分容器と交換する必要時期を表示するために、満量のラインを有することができる。医療廃棄物処分容器14のさらなる特徴は、色のコーディングまたは特別のラベルまたはバーコードを備えていてもよい。
【００２４】
キャリアトレイ12と一体化した医療廃棄物処分容器14を提供し、またそれに医療廃棄物用の開口部20を設けることにより、医療用運搬キャリア10は、医療処置を行い、医療廃棄物を滅菌された医療サプライ品から離れ、かつ分離された場所に捨てるための効果的なオールインワン型ユニットとなる。例えば、フレボトミストのような医療技術者は、キャリアトレイ12の供給エリア16に採血アセンブリのような医療サプライ品を保管して使用することができ、使用したサプライ品は開口部22から開口部20を通して医療廃棄物処分容器14の中に捨てることができ、それにより使用ずみ医療廃棄物をキャリアトレイ12の供給エリア16から離れているが、キャリアトレイ12と一体の場所に効果的に収容しておくことができる。さらに、医療廃棄物処分容器14をキャリアトレイと一体化した取り外し可能な要素として設けることにより、医療廃棄物処分容器14をより多量の医療廃棄物を収容するようにデザインすることができ、キャリアトレイ12は再使用することができる。
【００２５】
図５に示す本発明の別の態様では、医療用運搬キャリア10は、開口部20が医療廃棄物処分容器14の側面にある医療廃棄物処分容器14を備えることができる。医療廃棄物処分容器14の開口部20は、医療廃棄物処分容器14のどの側面に配置してもよく、医療廃棄物をキャリアトレイ12を通過させて医療廃棄物処分容器14の中に集める必要性を緩和する。代わりに、医療廃棄物は開口部20から医療廃棄物処分容器14の中に直接投入される。その場合、医療廃棄物は医療廃棄物処分容器14の中に直接投入され、一杯になったら、医療廃棄物処分容器14はキャリアトレイ12から取り外されて、交換される。
【００２６】
図６〜９は、本発明の別の態様を示すが、それらの態様は図１〜５の構成要素と実質的に同一の多くの構成要素を備える。従って、類似の機能を行う類似の構成要素には図１〜５の構成要素と同一の番号を付したが、図６〜９の態様における類似構成要素を特定するのに接尾辞"a" を使用する。
【００２７】
図６は本発明の別の態様を示す。この態様では、キャリアトレイ12ａは医療廃棄物処分容器14ａより面積が小さい。医療廃棄物処分容器14ａは平エリア(platform area) 34と立ち上がり部分36とを有する。キャリアトレイ12ａは平エリア34の上に載置され、医療廃棄物処分容器14ａの立ち上がり部分36ａの上面と平らである。医療廃棄物処分容器14ａはキャリアトレイ12ａと相互係合可能かつ取り外し可能に嵌め合わされている。医療廃棄物処分容器14ａは医療用運搬キャリア10ａをつかんで運ぶために一体のハンドルまたはキャリーハンドル30ａを有しており、これは上述したのと同じように作用する。このような態様では、キャリアトレイ12ａは医療廃棄物を捨てるための開口部を備える必要はない。代わりに、医療廃棄物処分容器14ａの立ち上がり部分36が、立ち上がり部分36の上面に設けた開口部20ａを有する。医療廃棄物は、医療廃棄物処分容器14ａの立ち上がり部分36の上面に設けた開口部20ａから医療廃棄物処分容器14ａの中に直接捨てられる。一杯になったら、医療廃棄物処分容器14ａはキャリアトレイ12ａから取り外され、空の医療廃棄物処分容器と交換される。
【００２８】
また、図７に示すように、複数の医療廃棄物処分容器14ａを積み重ねることができる。この積み重ねの配置は使用済みまたは未使用の複数の医療廃棄物処分容器をひとまとめにして、医療廃棄物処分容器を処分または使用のために効率的に保管および輸送するのを可能にする。医療廃棄物処分容器14ａが一杯になったら、キャリアトレイ12ａを医療廃棄物処分容器14ａおよび折り倒されるハンドル30ａから取り外す。従って、ハンドル30ａは医療廃棄物処分容器14ａの平エリア34の上面の上に乗っている。医療廃棄物処分容器14ａはまた、別の医療廃棄物処分容器の折り倒されたハンドルが嵌まるように底面にキャビティを有していてもよい。従って、１つの医療廃棄物処分容器を別の医療廃棄物処分容器の上に置く時に、下側の医療廃棄物処分容器の折り畳み可能なハンドルは、上側の医療廃棄物処分容器の底面のハンドルキャビティの中に嵌まり込み、それにより連結嵌め合いが可能となる。追加の医療廃棄物処分容器も同様にして積み重ねることができる。図７に示すように、複数の医療廃棄物処分容器の位置は互い違いにして、医療廃棄物処分容器の全ての平エリアはそのまま積み重なるが、医療廃棄物処分容器14ａの立ち上がり部分36は交互に互い違いになるようにする。
【００２９】
医療廃棄物処分容器14ａは簡単な使用を助長する任意の形状のものとすることができる。例えば、図８に示すように、医療廃棄物処分容器14ａは任意の角度にして、シュートに似た形状とすることもできる。医療廃棄物はシュートの上面に設けた開口部20ａから落下させ、保管のために医療廃棄物処分容器14ａの底面に達するまでシュートの長さに沿って滑っていく。シュートの上面の開口部20ａは、所望の形状に応じて広くも狭くもすることができる。また、図９に示すように、２以上の開口部を設けることもできる。図９は、２以上の制御された開口部を備えた医療廃棄物処分容器14ａの平面図を示す。例えば、医療廃棄物処分容器14ａは大きな医療廃棄物用の第１の開口部20ａと小さな医療廃棄物用のサイズがより小さい別の第２の開口部21ａとを有することができる。さらに、開口部20ａおよび21ａは互いに隣接して配置する必要はなく、医療廃棄物処分容器14ａのどこにも設置することができる。さらに、複数の開口部を設けたこのような配置は、図１〜５に関して上述した医療用運搬キャリア10にも組み込むことができることも考えられる。その場合、キャリアトレイは医療廃棄物処分容器に設けた各開口部との対応係合のための対応する開口部を備えて、それとの連結した通路を与えるようにする。
【００３０】
本発明は多くの異なる形態において満たされが、本発明の開示は本発明の原理の例示と考えるべきものであって、本発明を例示した態様に制限する意図はないことの理解を前提に、本発明の好適態様を添付図面に示し、以上に詳しく説明した。各種の他の態様も本発明の範囲および技術思想を逸脱せずに当業者には明らかであり、かつ容易になしうるであろう。本発明の範囲は特許請求の範囲とその均等物により決定されよう。
【図面の簡単な説明】
【００３１】
【図１】本発明に係る医療用運搬キャリアの説明図。
【図２】キャリアトレイから分離された医療廃棄物処分容器を示す、本発明に係る医療用運搬キャリアの説明図。
【図３】本発明に係る医療廃棄物処分容器の上面説明図。
【図４】一体ハンドルを折り畳んだ状態での医療廃棄物処分容器の上面説明図。
【図５】本発明の別の態様に係る医療用運搬キャリアの説明図。
【図６】本発明のさらに別の態様に係る医療廃棄物処分容器とキャリアトレイの説明図。
【図７】複数の医療廃棄物処分容器を積み重ねた状態で示す説明図。
【図８】本発明のさらに別の態様に係る医療廃棄物処分容器の説明図。
【図９】本発明の別の態様に係る医療廃棄物処分容器の上面説明図。
【図１０】キャリアトレイから分離された医療廃棄物処分容器を示す、本発明のさらに別の態様における医療用運搬キャリアの説明図。
【手続補正書】
【提出日】平成16年5月12日(2004.5.12)
【手続補正１】
【補正対象書類名】図面
【補正対象項目名】全図
【補正方法】追加
【補正の内容】
【図１】
2004269257.tif 000002
【図２】
2004269257.tif 000003
【図３】
2004269257.tif 000004
【図４】
2004269257.tif 000005
【図５】
2004269257.tif 000006
【図６】
2004269257.tif 000007
【図７】
2004269257.tif 000008
【図８】
2004269257.tif 000009
【図９】
2004269257.tif 000010
【図１０】
2004269257.tif 000011
【外国語明細書】
2004269257000001.pdf